(57)【要約】【課題】  単に靴を収納するだけで確実に押さえることができるようにして内部で動きにくくするとともに、収納した靴に傷が付き難くなるようにする。【解決手段】  靴底２を有し踵からつま先側に延びる本体部１及び本体部１から足首側に延び上側に足の挿入口４を有した足首部３を備えた一対の靴Ｓ１，Ｓ２を収納可能な収納体１０と、収納体１０に設けられ収納体１０を吊下するための把手３０とを備え、収納体１０を、一対の靴Ｓ１，Ｓ２の一方の靴Ｓ１が収納され一方の靴Ｓ１の出し入れを行なうための開口１３（１３ａ）を有した一方収納袋１１と、一対の靴Ｓ１，Ｓ２の他方の靴Ｓ２が収納され他方の靴Ｓ２の出し入れを行なうための開口１３（１３ｂ）を有した他方収納袋１２とを備えて構成し、一方収納袋１１及び他方収納袋１２の上部を連設し、上部に把手３０を設けて一方収納袋１１及び他方収納袋１２を並べて吊下可能にした。【選択図】  図１
0003113981.tif 000002
【実用新案登録請求の範囲】
【請求項１】
靴底を有し踵からつま先側に延びる本体部及び該本体部から足首側に延び上側に足の挿入口を有した足首部を備えた一対の靴を収納可能な収納体と、該収納体に設けられ該収納体を吊下するための把手とを備えた靴用手提袋において、
上記収納体を、上記一対の靴の一方の靴が収納され該一方の靴の出し入れを行なうための開口を有した一方収納袋と、上記一対の靴の他方の靴が収納され該他方の靴の出し入れを行なうための開口を有した他方収納袋とを備えて構成し、該一方収納袋及び他方収納袋の上部を連設し、該上部に上記把手を設けて上記一方収納袋及び他方収納袋を並べて吊下可能にしたことを特徴とする靴用手提袋。
【請求項２】
上記一方収納袋及び他方収納袋を、上記靴の形状に倣った形状に形成したことを特徴とする請求項１記載の靴用手提袋。
【請求項３】
上記一方収納袋の後縁部及び上記他方収納袋の後縁部に、夫々、上記開口を設けたことを特徴とする請求項２記載の靴用手提袋。
【請求項４】
上記一方収納袋及び他方収納袋の開口を連続して設け、該連続する開口を１つのファスナで開閉可能にしたことを特徴とする請求項３記載の靴用手提袋。
【考案の詳細な説明】
【技術分野】
【０００１】
本考案は、例えば、スケート靴等の足首に対応する部分の長い一対の靴を収納して持ち運ぶことができる靴用手提袋に関する。
【背景技術】
【０００２】
従来、一対の靴を収納した状態で持ち運ぶものとしては、例えば、特許文献１（実公昭５２−２７３０号公報）に記載されたスキーブーツ用のバッグが知られている。
【０００３】
図６及び図７に示すように、このスキーブーツ用のバッグは、２つの略同型の函体１０１，１０２を組み合わせて構成されている。函体１０１，１０２は、底壁１０３と、この底壁１０３の外周縁に立設されるとともに開口１０７を形成する４つの壁体とを備えてなる。４つの壁体は、ブーツ１００の巾と略同幅でブーツ１００の踵からつま先までの長さと略同じ長さの後壁１０４と、これより短い前壁１０５と、これらの後壁１０４と前壁１０５との間を連結する一対の側壁１０６とからなる。
また、２つの函体１０１，１０２は、一方の函体１０１の前壁１０５側の側壁１０６及び他方の函体１０２の後壁側１０４の側壁１０６に夫々設けた回動軸１０８により互いに回動できるようになっている。
回動軸１０８は、一方の函体１０１の側壁１０６に突設されるとともに孔を有した一対の一方舌片１１０，他方の函体１０２に突設されるとともに孔を有した一対の他方舌片１１２及び一方舌片１１０と他方舌片１１２の孔とに挿通されるリベット１１３とからなる。
【０００４】
また、このブーツ用のバッグには、回動軸１０８に索体１１４を介して設けられたパッド１１５が設けられている。更に、他方の函体１０２には、その収納されたブーツ１００を押さえてこのブーツ１００の落下を防止するためのホルダ１１６が設けられている。
更に、このブーツ用のバッグには、一端が他方の函体１０２の後壁１０４の上端近傍に固着され、他端にバックル１１８を備えたベルト１１７が設けられている。このバックル１１８は、一方の函体１０１の後壁１０４の上端近傍及び下端近傍に設けた固定具１１９に着脱可能に固着できるようになっている。
【０００５】
このスキーブーツ用のバッグにブーツ１００を収納する場合には、ブーツ１００を、開口１０７からブーツ１００の靴底が函体１０１，１０２の後壁１０４に沿うようにして入れる。次に、パッド１１５を一方の函体１０１に収納したブーツ１００の前面に被せるとともに、他方の函体１０２に収納したブーツ１００をホルダ１１６で押さえる。そして、他方の函体１０２を、一方の函体１０１に対して回動し、函体１０１，１０２同士の開口１０７を合わせ、固定具１１９にベルト１１７のバックル１１８を挿入する。
この状態でブーツ用のバッグをベルト１１７を持ったり肩にかけたりして持ち運ぶようにする。
【０００６】
【特許文献１】実公昭５２−２７３０号公報
【考案の開示】
【考案が解決しようとする課題】
【０００７】
ところで、このような従来のスキーブーツ用のバッグにあっては、函体１０１，１０２の中でブーツ１００ががたつかないように、パッド１１５やホルダ１１６でいちいち押さえるようにしなければならず、収納の作業が煩雑であるという問題があった。また、パッド１１５やホルダ１１６による押さえが不完全だと、函体１０１，１０２の中でブーツ１００が動いてがたつき函体１０１，１０２と擦れたり、ブーツ１００同士がぶつかったりしてブーツ１００に傷が付き易くなるという問題もある。
【０００８】
本考案は上記の問題点に鑑みて為されたもので、単に靴を収納するだけで靴を押さえることができるようにし、靴が内部で動く事態を抑制するとともに、収納した靴に傷が付き難くなるようにした靴用手提袋を提供することを目的とする。
【課題を解決するための手段】
【０００９】
このような目的を達成するための本考案の靴用手提袋は、靴底を有し踵からつま先側に延びる本体部及び該本体部から足首側に延び上側に足の挿入口を有した足首部を備えた一対の靴を収納可能な収納体と、該収納体に設けられ該収納体を吊下するための把手とを備えた靴用手提袋において、上記収納体を、上記一対の靴の一方の靴が収納され該一方の靴の出し入れを行なうための開口を有した一方収納袋と、上記一対の靴の他方の靴が収納され該他方の靴の出し入れを行なうための開口を有した他方収納袋とを備えて構成し、該一方収納袋及び他方収納袋の上部を連設し、該上部に上記把手を設けて上記一方収納袋及び他方収納袋を並べて吊下可能にしている。
【００１０】
この靴用手提袋に靴を収納する際には、一方収納袋に開口から一方の靴を入れ、他方収納袋に開口から他方の靴を入れる。
そして、靴を収納した状態で靴用手提袋を持ち運ぶ際には、把手を手で把持し、一方収納袋及び他方収納袋を並べて吊下して持ち運ぶ。
【００１１】
この際、一方及び他方の靴は、一方収納袋及び他方収納袋に別々に収納されるので、同じ収納スペースに両方の靴をどちらも入れる場合に比較して、靴同士がぶつかったり擦れ合ったりして傷が付く事態を防止することができる。
また、この際、吊下された一方収納袋及び他方収納袋は、内部の靴の自重で、収納袋の下部が下がり、収納袋の側面が靴を締め付けていく。そのため、収納された靴は、収納袋自体によって押さえられる。これにより、単に収納袋の中に収納するだけで靴を押さえることができるようになり、靴が収納袋の内部で動くのを抑制することができる。
この際、収納袋を布等の比較的柔らかい素材で形成した場合には、よりいっそう靴に傷を付き難くできる。
そして、一方収納袋及び他方収納袋の内部の靴を取り出す場合には、一方収納袋の内部の一方の靴及び他方収納袋の内部の靴を夫々の開口から取り出す。
【００１２】
また、必要に応じ、上記一方収納袋及び他方収納袋を、上記靴の形状に倣った形状に形成している。
そのため、靴の形状に倣って覆うことができ、各収納袋に靴を収納した際の収納袋による靴の押さえがよりいっそう確実になり、収納袋の内部での動きが防止され、がたつき難くすることができる。
【００１３】
そしてまた、上記一方収納袋の後縁部及び上記他方収納袋の後縁部に、夫々、上記開口を設けた構成としている。
これにより、開口が、一方収納袋及び他方収納袋の後縁部に夫々設けられているので、靴の本体部のつま先側から各収納袋に入れることができ、靴の収納を容易にすることができる。
【００１４】
更に、必要に応じ、上記一方収納袋及び他方収納袋の開口を連続して設け、該連続する開口を１つのファスナで開閉可能にしている。
この場合、連続した開口を１つのファスナで開閉可能にしたので、一方収納袋と他方収納袋の開口夫々に別々にファスナを設けた場合に比較して部品点数を低減でき、製造コストを低減できる。また、一度の操作でファスナを開閉できるので、開口の開閉を容易にすることができる。
【考案の効果】
【００１５】
本考案の靴用手提袋によれば、収納体を、一対の靴の一方の靴が収納され一方の靴の出し入れを行なうための開口を有した一方収納袋と、一対の靴の他方の靴が収納され他方の靴の出し入れを行なうための開口を有した他方収納袋とを備えて構成したので、一方の靴と他方の靴は各収納袋に別々に収納されるようになり、そのため、靴が同じ収納空間に入れられる場合に比較して、靴同士がぶつかったり擦れ合ったりして傷が付く事態を防止することができる。
また、一方収納袋及び他方収納袋の上部を連設し、上部に把手を設けて一方収納袋及び他方収納袋を並べて吊下可能にしたので、把手を把持して吊下すると、収納袋が靴を締め付けて収納袋自体が靴を押さえるようになり、そのため、単に収納袋の中に靴を収納するだけでこの靴を押さえることができるようになり、靴が収納袋の内部で動く事態を抑制することができる。
【考案を実施するための最良の形態】
【００１６】
以下、添付図面に基づいて、本考案の実施の形態に係る靴用手提袋について詳細に説明する。
【００１７】
図１に示すように、この靴用手提袋に収納される一対の靴Ｓ１，Ｓ２は、靴底２にブレード５を備えたスケート靴であり、靴底２を有し踵からつま先側に延びる本体部１及び本体部１から足首側に延び上側に足の挿入口４を有した足首部３を備えている。
【００１８】
図２及び図３にも示すように、本考案の実施の形態に係る靴用手提袋は、一対の靴Ｓ１，Ｓ２を収納可能な収納体１０と、収納体１０に設けられ収納体１０を吊下するための把手３０とを備えた構成としている。収納体１０は、一対の靴Ｓ１，Ｓ２の一方の靴Ｓ１が収納され一方の靴Ｓ１の出し入れを行なうための開口１３（１３ａ）を有した一方収納袋１１と、一対の靴Ｓ１，Ｓ２の他方の靴Ｓ２が収納され他方の靴Ｓ２の出し入れを行なうための開口１３（１３ｂ）を有した他方収納袋１２とを備えて構成されている。また、収納体１０は、一方収納袋１１及び他方収納袋１２の上部を連設して構成されている。また、把手３０は、収納体１０の上部に設けられ、一方収納袋１１及び他方収納袋１２を並べて吊下可能にしている。
詳しくは、一方収納袋１１及び他方収納袋１２は、略同様に形成されており、靴Ｓ１，Ｓ２の形状に倣った形状に形成され、本体部１を覆う下覆部１４と下覆部１４の後側から上に延設され足首部３を覆う上覆部１５とを備えて形成されている。
【００１９】
また、一方収納袋１１の後縁部１８及び他方収納袋１２の後縁部１８に、夫々、開口１３（１３ａ），１３（１３ｂ）を設けた構成としている。また、一方収納袋１１の開口１３（１３ａ）と他方収納袋１２の開口１３（１３ｂ）は、連続して設けられている。この連続する開口１３（１３ａ，１３ｂ）は、１つのファスナ１６で開閉可能になっている。ファスナ１６は、一般に利用されているものであってよく、例えば、所謂スライドファスナで構成されている。
更にまた、一方収納袋１１または他方収納袋１２の少なくともいずれか一方にポケット１７を備えた構成としている。実施の形態において、ポケット１７は、一方収納袋１１の他方収納袋１２に面しない側の側面の外側に設けられている。
【００２０】
更に詳しくは、本考案の実施の形態に係る一方収納袋１１及び他方収納袋１２は、図４及び図５に示すように、一対の布製シート体２０の外周縁を縫い合わせて形成されている。具体的には、一対の布製シート体２０は、表側を互いに向けて重ねるとともにこの重ねた布製シート体２０の外周縁部をミシン等で縫い合わせた後に裏返しして、表側を外に出して製造される。
この一対の布製シート体２０は、略同じ形状に形成されており、複数の布２０ａ，２０ｂを重ねて多層にして構成され（実施の形態では２層）、上覆部１５を形成する中央部２１と、中央部２１の両端に連続し下覆部１４を形成する両端部２２とを備えてなる。両端部２２の靴Ｓ１，Ｓ２のつま先に対応する部分は、前方に突出している。また、布製シート体２０の靴Ｓの後側になる端縁は、縫い合わせられないで開口１３（１３ａ，１３ｂ）として形成されるとともに、互いに係止可能なようにファスナ１６が設けられる。
また、布製シート体２０を構成する布２０ａ，２０ｂは綿で形成されるとともに、この布製シート体２０を構成する布２０ａ，２０ｂのうち、最外側の布２０ａには、キルティング加工されたものが用いられている。
【００２１】
把手３０は、例えば、布製シート体２０の最外側の布２０ａと同様の布で形成された一対の紐体３０ａで形成されている。紐体３０ａの両端部３１は、一対の布製シート体２０のいずれか一方の布製シート体２０の中央部２１に縫いつけられている。また、この紐体３０ａを縫いつける際には、いずれか一方の布製シート体２０にいずれか他方の布製シート体２０とともに縫い合わせ、把手３０で一方収納袋１１及び他方収納袋１２を吊下したときに一方の布製シート体２０の中央部２１から他方の布製シート体２０の中央部２１が分離しないようにしている。
また、ポケット１７は、把手３０を取り付ける側の布製シート体２０において、最外側の布２０ａと、この布２０ａよりも内側の布２０ｂとの間に収納空間Ｋを形成するとともに、最外側の布２０ａに入口３５を形成した構成としている。入口３５は、最外側の布２０ａを靴Ｓ１，Ｓ２の本体部１側を覆う部位２４と足首部３側を覆う部位２５の２つに分離し、この２つの部位２４，２５間に形成されている。足首部３側を覆う部位２５の本体部１側の端縁には、この端縁を延設してなるポケット１７のフラップ２６が設けられている。
【００２２】
従って、この靴用手提袋に靴Ｓ１，Ｓ２を収納する際には、図１に示すように、まず、ファスナ１６を解除して、一方収納袋１１と他方収納袋１２の開口１３（１３ａ，１３ｂ）を開放する。次に、一方収納袋１１に一方の靴Ｓ１を入れ、他方収納袋１２に他方の靴Ｓ２を入れ、ファスナ１６で開口１３（１３ａ，１３ｂ）を閉塞する。
【００２３】
この際、開口１３（１３ａ，１３ｂ）が、一方収納袋１１及び他方収納袋１２の後縁部１８に夫々設けられているので、靴Ｓ１，Ｓ２の本体部１のつま先側から各収納袋１１，１２に入れるようになっており、そのため、靴Ｓ１，Ｓ２の収納が容易になる。
また、一方収納袋１１及び他方収納袋１２の開口１３（１３ａ，１３ｂ）を連続して設けるとともに、この連続した開口１３（１３ａ，１３ｂ）を１つのファスナ１６で開閉可能にしたので、一方収納袋１１と他方収納袋１２の開口１３（１３ａ，１３ｂ）夫々にファスナ１６を設けた場合に比較して部品点数を低減でき、製造コストを低減することができる。また、一度の操作でファスナ１６を開閉できるので、開口１３（１３ａ，１３ｂ）の開閉が容易になる。
そして、靴Ｓ１，Ｓ２を収納した状態で靴用手提袋を持ち運ぶ際には、把手３０を手で把持し、一方収納袋１１及び他方収納袋１２を並んだ状態で吊下して持ち運ぶ。
【００２４】
この際、一方及び他方の靴Ｓ１，Ｓ２は、一方収納袋１１及び他方収納袋１２に別々に収納されるので、同じ収納スペースに両方の靴Ｓ１，Ｓ２をどちらも入れる場合に比較して、靴Ｓ１，Ｓ２同士がぶつかったり擦れ合ったりして傷が付く事態を防止することができる。
また、この際、吊下された一方収納袋１１及び他方収納袋１２は、内部の靴Ｓ１，Ｓ２の自重で、収納袋１１，１２の下部が下がり、収納袋１１，１２の側面が靴Ｓ１，Ｓ２を締め付けていく。そのため、収納された靴Ｓ１，Ｓ２は、収納袋１１，１２自体によって押さえられる。これにより、単に収納袋１１，１２の中に収納するだけで靴Ｓ１，Ｓ２を押さえることができるようになり、靴Ｓ１，Ｓ２が収納袋１１，１２の内部で動く事態を抑制することができる。
【００２５】
更に、一方収納袋１１及び他方収納袋１２は、下覆部１４と上覆部１５とを備えて、靴Ｓ１，Ｓ２の形状に倣って覆うことができ収納時の押さえが確実になり、靴Ｓ１，Ｓ２が収納袋１１，１２の内部で動く事態がよりいっそう抑制され、靴Ｓ１，Ｓ２をがたつき難くすることができる。
そしてまた、この際、この靴用手提袋を持った人を周囲の人が見ると、各収納袋１１，１２が靴の形状に倣った形状に形成されているので、特に、各収納袋１１，１２がスケート靴に倣った形状である場合には、一目でスケートをたしなむ人であると分かるようになり、周囲の人からの羨望されることを期待できる。
【００２６】
また、この際、一方収納袋１１及び他方収納袋１２は、布製シート体２０で形成されているので、靴Ｓ１，Ｓ２であるスケート靴のブレード５のエッジを保護でき、まわりの人や物に傷を付ける事態を防止することができる。また、エッジカバーも不要となり、それだけ、スケート靴の取り扱いが容易になる。
更に、布製シート体２０を構成する布２０ａ，２０ｂは、綿製なので、収納した靴Ｓ１，Ｓ２が、例えば、スケートリンクで使用された後で多少濡れていても、ある程度布製シート体２０が靴Ｓ１，Ｓ２に付着した水分を吸収する。そのため、靴Ｓ１，Ｓ２のブレード５が錆びる事態を防止することができる。
【００２７】
更にまた、把手３０を一対の紐体３０ａで構成したので、靴Ｓ１，Ｓ２の荷重が両方の紐体３０ａにかかり、収納袋１１，１２を安定して吊下することができる。
また、ポケット１７を設けたので、靴Ｓ１，Ｓ２に関連した小物等を収納することができ、実用性を増すことができる。また、一般にある靴袋等と比較して、ポケット１７を設けたことにより、かわいらしさが向上し、靴用手提袋としての外観品質を向上することができる。
【００２８】
そして、一方収納袋１１及び他方収納袋１２の内部の靴Ｓ１，Ｓ２を取り出す場合には、ファスナ１６を解除して開口１３（１３ａ，１３ｂ）を開にし、一方収納袋１１の内部の一方の靴Ｓ１及び他方収納袋１２の内部の靴Ｓ２を取り出す。
【００２９】
尚、本考案の実施の形態においては、靴Ｓ１，Ｓ２としてスケート靴を用いたが、これに限定されるものでなく、例えば、スキーブーツ等の長靴状のもので、靴底２を有し踵からつま先側に延びる本体部１及び該本体部１から足首側に延び上側に足の挿入口４を有した足首部３を備えた一対の靴Ｓ１，Ｓ２であればどのようなものであってもよい。
また、足首部３の無いタイプの靴に用いるようにしてもよいことはもちろんのことである。
尚、把手を長くして肩にかけるようにしても良く適宜設計変更して差し支えない。
【図面の簡単な説明】
【００３０】
【図１】本考案の実施の形態に係る靴用手提袋を示し、内部に靴を収納する状態を示す斜視図である。
【図２】本考案の実施の形態に係る靴用手提袋を、内部に靴を収納した状態で示す斜視図である。
【図３】本考案の実施の形態に係る靴用手提袋を、内部に靴を収納した状態で示す斜視図である。
【図４】本考案の実施の形態に係る靴用手提袋を示す分解斜視図である。
【図５】本考案の実施の形態に係る靴用手提袋を開いた状態で示す斜視図である。
【図６】従来の靴を収納するためのスキーブーツ用のバッグの一例を示す図である。
【図７】従来の靴を収納するためのスキーブーツ用のバッグの一例を示す図である。
【符号の説明】
【００３１】
Ｓ１，Ｓ２  靴
１  本体部
２  靴底
３  足首部
４  挿入口
５  ブレード
１０  収納体
１１  一方収納袋
１２  他方収納袋
１３（１３ａ，１３ｂ）  開口
１４  下覆部
１５  上覆部
１６  ファスナ
１７  ポケット
１８  後縁部
２０  布製シート体
２０ａ，２０ｂ  布
２１  中央部
２２  両端部
２６  フラップ
３０  把手
３０ａ  紐体
３５  入口
Ｋ  収納空間
【図１】
0003113981.tif 000003
【図２】
0003113981.tif 000004
【図３】
0003113981.tif 000005
【図４】
0003113981.tif 000006
【図５】
0003113981.tif 000007
【図６】
0003113981.tif 000008
【図７】
0003113981.tif 000009